(57)【要約】【課題】ネットワーク機器と、このネットワーク機器の設定情報を管理するネットワーク情報管理サーバとで保持する設定情報の不一致を検出して解消するネットワーク管理システムを提供する。【解決手段】ネットワーク情報管理サーバ１０において、管理下のネットワーク機器に対し設定情報を送信して設定を行う際に、送信した設定情報を該当ネットワーク機器２０に対する設定情報として保持し、ネットワーク機器の運転再開の際には、ネットワーク機器２０から取得した設定情報と保持した設定情報とを比較して、ネットワーク機器側で消滅した設定情報からなる差分情報を作成し、ネットワーク機器２０に再設定することにより、ネットワーク機器のサービス断時間を短縮させることができる。【選択図】　　　　図２
2004048171.tif 000002
【特許請求の範囲】
【請求項１】
複数のネットワーク機器と、これらネットワーク機器の設定情報を管理するネットワーク情報管理サーバとを具備するネットワーク管理システムであって、
前記ネットワーク情報管理サーバは、管理下のネットワーク機器に対し設定情報を送信して設定を行う際に、該送信した設定情報を該当ネットワーク機器に対する設定情報として保持し、
前記ネットワーク機器の運転再開の際には、前記ネットワーク機器から取得した設定情報と保持した設定情報とを比較して、ネットワーク機器側で消滅した設定情報からなる差分情報を作成し、前記ネットワーク機器に再設定することを特徴とするネットワーク管理システム。
【請求項２】
複数のネットワーク機器と、これらネットワーク機器の設定情報を管理するネットワーク情報管理サーバとを具備するネットワーク管理システムであって、
前記ネットワーク情報管理サーバは、管理下のネットワーク機器に対し設定情報を送信して設定を行う際に、該送信した設定情報と、該設定情報を前記ネットワーク機器に対して送信し設定を行った時刻情報とを当該ネットワーク機器に対する情報として保持し、
前記ネットワーク機器は、前記ネットワーク情報管理サーバから送信され、一時記憶手段に蓄積している前記設定情報を恒久的記憶手段に記憶した時刻情報を保持し、
前記ネットワーク機器の運転再開の際には、前記ネットワーク情報管理サーバは、前記ネットワーク機器から取得した時刻情報と自身で保持する時刻情報とを比較することで前記ネットワーク機器に設定されている設定情報を認識し、前記ネットワーク機器側で消滅した設定情報からなる差分情報を作成して前記ネットワーク機器に再設定することを特徴とするネットワーク管理システム。
【請求項３】
複数のネットワーク機器と、これらネットワーク機器の設定情報を管理するネットワーク情報管理サーバとを具備するシステムにおいて適用される設定情報管理方法であって、
前記ネットワーク情報管理サーバにおいて、管理下のネットワーク機器に対し設定情報を送信して設定を行う際に、該送信した設定情報を該当ネットワーク機器に対する設定情報として保持させ、
前記ネットワーク機器の運転再開の際には、前記ネットワーク機器から取得した設定情報と保持した設定情報とを比較させ、ネットワーク機器側で消滅した設定情報からなる差分情報を作成させて、前記ネットワーク機器に再設定させることを特徴とする設定情報管理方法。
【請求項４】
複数のネットワーク機器と、これらネットワーク機器の設定情報を管理するネットワーク情報管理サーバとを具備するシステムにおいて適用される設定情報管理方法であって、
前記ネットワーク情報管理サーバにおいて、管理下のネットワーク機器に対し設定情報を送信して設定を行う際に、該送信した設定情報と、該設定情報を前記ネットワーク機器に対して送信し設定を行った時刻情報とを当該ネットワーク機器に対する情報として保持させ、
前記ネットワーク機器において、前記ネットワーク情報管理サーバから送信され、一時記憶手段に蓄積している前記設定情報を恒久的記憶手段に記憶した時刻情報を保持させ、
前記ネットワーク機器の運転再開の際には、前記ネットワーク情報管理サーバにおいて、前記ネットワーク機器から取得した時刻情報と自身で保持する時刻情報とを比較することで前記ネットワーク機器に設定されている設定情報を認識させ、前記ネットワーク機器側で消滅した設定情報からなる差分情報を作成して前記ネットワーク機器に再設定させることを特徴とする設定情報管理方法。
【請求項５】
複数のネットワーク機器と、これらネットワーク機器の設定情報を管理するネットワーク情報管理サーバとを具備するシステムにおいて適用される設定情報管理プログラムであって、
前記ネットワーク情報管理サーバにおいて、管理下のネットワーク機器に対し設定情報を送信して設定を行う際に、該送信した設定情報を該当ネットワーク機器に対する設定情報として保持させ、
前記ネットワーク機器の運転再開の際には、前記ネットワーク機器から取得した設定情報と保持した設定情報とを比較させ、ネットワーク機器側で消滅した設定情報からなる差分情報を作成させて、前記ネットワーク機器に再設定させる処理を実行することを特徴とする設定情報管理プログラム。
【請求項６】
複数のネットワーク機器と、これらネットワーク機器の設定情報を管理するネットワーク情報管理サーバとを具備するシステムでの設定情報管理プログラムであって、
前記ネットワーク情報管理サーバにおいて、管理下のネットワーク機器に対し設定情報を送信して設定を行う際に、該送信した設定情報と、該設定情報を前記ネットワーク機器に対して送信し設定を行った時刻情報とを当該ネットワーク機器に対する情報として保持させる処理を実行し、
前記ネットワーク機器において、前記ネットワーク情報管理サーバから送信され、一時記憶手段に蓄積している前記設定情報を恒久的記憶手段に記憶した時刻情報を保持させる処理を実行し、
前記ネットワーク機器の運転再開の際には、前記ネットワーク情報管理サーバにおいて、前記ネットワーク機器から取得した時刻情報と自身で保持する時刻情報とを比較することで前記ネットワーク機器に設定されている設定情報を認識させ、前記ネットワーク機器側で消滅した設定情報からなる差分情報を作成して前記ネットワーク機器に再設定させる処理を実行することを特徴とする設定情報管理プログラム。
【発明の詳細な説明】
【０００１】
【発明の属する技術分野】
本発明は、複数のネットワーク機器と、これらネットワーク機器の設定情報を管理するネットワーク情報管理サーバとを具備するネットワーク管理システムに関し、特に、このシステムで適用される設定情報管理方法、及びプログラムに関する。
【０００２】
【従来の技術】
ネットワーク機器と、このネットワーク機器の設定情報を管理するネットワーク情報管理サーバとで構成されるネットワークでは、ネットワーク機器が故障などから運転を再開すると、一時記憶装置に記憶していた設定情報が失われるため、再開後のネットワーク機器の設定情報とネットワーク情報管理サーバで管理している設定情報とに不一致が発生する。
【０００３】
ネットワーク情報管理サーバと、管理下のネットワーク機器との間で設定情報の不一致が発生した場合、一般的に手動で設定情報を一致させていた。
【０００４】
本発明と技術分野が類似する従来例として、特開平１１−２７５０９５号公報の非同期転送モード通信ネットワーク管理装置がある。本従来例は、非同期転送モードで通信を行うネットワーク上のパス情報を管理するネットワーク管理装置であって、所望の時点に前記ネットワーク内に設定されているコネクションに関するパス情報を、前記ネットワークを構成する各ネットワークエレメント装置からアップロードして、該ネットワーク管理装置上のデータとして反映させるコネクションアップロード手段と、前記ネットワーク上のコネクションと前記ネットワーク管理装置上のデータとの不整合を検出するコネクション診断手段と、該不整合の検出時に、該不整合の内容を補正するためのパス情報を前記ネットワーク管理装置又は前記各ネットワークエレメント装置に供給して、前記コネクションの再構築を行うコネクション再構築手段と、を含むことを特徴としている。
【０００５】
【発明が解決しようとする課題】
しかしながら、ネットワーク情報管理装置と、ネットワーク機器との設定情報を手動で一致させる方法では、設定情報を一致させるために膨大な時間がかかるという不具合が発生する。設定情報が不一致となっている時間は、サービス中断を意味するため、サービス中断時間が長くなるという問題がある。
【０００６】
また、上述した特開平１１−２７５０９５号公報の非同期転送モード通信ネットワーク管理装置では、管理する情報がコネクションに関するパス情報であるため、ネットワーク上のコネクションとネットワーク管理装置上のデータとの不整合を検出するまでにかかる時間は問題とならない。
【０００７】
本発明は上記事情に鑑みてなされたものであり、ネットワーク機器と、このネットワーク機器の設定情報を管理するネットワーク情報管理サーバとで保持する設定情報の不一致を検出して解消するネットワーク管理システム、その設定情報管理方法及びプログラムを提供することを目的とする。
【０００８】
また、ネットワーク機器と、ネットワーク情報管理サーバとで保持する設定情報の不一致検出にかかる負荷を軽減させることで、ネットワーク機器のサービス断時間を短縮させたネットワーク管理システム、その設定情報管理方法及びプログラムを提供することを目的とする。
【０００９】
【課題を解決するための手段】
係る目的を達成するために請求項１記載の発明は、複数のネットワーク機器と、これらネットワーク機器の設定情報を管理するネットワーク情報管理サーバとを具備するネットワーク管理システムであって、ネットワーク情報管理サーバは、管理下のネットワーク機器に対し設定情報を送信して設定を行う際に、該送信した設定情報を該当ネットワーク機器に対する設定情報として保持し、ネットワーク機器の運転再開の際には、ネットワーク機器から取得した設定情報と保持した設定情報とを比較して、ネットワーク機器側で消滅した設定情報からなる差分情報を作成し、ネットワーク機器に再設定することを特徴とする。
【００１０】
請求項２記載の発明は、複数のネットワーク機器と、これらネットワーク機器の設定情報を管理するネットワーク情報管理サーバとを具備するネットワーク管理システムであって、ネットワーク情報管理サーバは、管理下のネットワーク機器に対し設定情報を送信して設定を行う際に、該送信した設定情報と、該設定情報をネットワーク機器に対して送信し設定を行った時刻情報とを当該ネットワーク機器に対する情報として保持し、ネットワーク機器は、ネットワーク情報管理サーバから送信され、一時記憶手段に蓄積している設定情報を、恒久的記憶手段に記憶した時刻情報を保持し、ネットワーク機器の運転再開の際には、ネットワーク情報管理サーバは、ネットワーク機器から取得した時刻情報と自身で保持する時刻情報とを比較することでネットワーク機器に設定されている設定情報を認識し、ネットワーク機器側で消滅した設定情報からなる差分情報を作成してネットワーク機器に再設定することを特徴とする。
【００１１】
請求項３記載の発明は、複数のネットワーク機器と、これらネットワーク機器の設定情報を管理するネットワーク情報管理サーバとを具備するシステムにおいて適用される設定情報管理方法であって、ネットワーク情報管理サーバにおいて、管理下のネットワーク機器に対し設定情報を送信して設定を行う際に、該送信した設定情報を該当ネットワーク機器に対する設定情報として保持させ、ネットワーク機器の運転再開の際には、ネットワーク機器から取得した設定情報と保持した設定情報とを比較させ、ネットワーク機器側で消滅した設定情報からなる差分情報を作成させて、ネットワーク機器に再設定させることを特徴とする。
【００１２】
請求項４記載の発明は、複数のネットワーク機器と、これらネットワーク機器の設定情報を管理するネットワーク情報管理サーバとを具備するシステムにおいて適用される設定情報管理方法であって、ネットワーク情報管理サーバにおいて、管理下のネットワーク機器に対し設定情報を送信して設定を行う際に、該送信した設定情報と、該設定情報をネットワーク機器に対して送信し設定を行った時刻情報とを当該ネットワーク機器に対する情報として保持させ、ネットワーク機器において、ネットワーク情報管理サーバから送信され、一時記憶手段に蓄積している設定情報を、恒久的記憶手段に記憶した時刻情報を保持させ、ネットワーク機器の運転再開の際には、ネットワーク情報管理サーバにおいて、ネットワーク機器から取得した時刻情報と自身で保持する時刻情報とを比較することでネットワーク機器に設定されている設定情報を認識させ、ネットワーク機器側で消滅した設定情報からなる差分情報を作成してネットワーク機器に再設定させることを特徴とする。
【００１３】
請求項５記載の発明は、複数のネットワーク機器と、これらネットワーク機器の設定情報を管理するネットワーク情報管理サーバとを具備するシステムにおいて適用される設定情報管理プログラムであって、ネットワーク情報管理サーバにおいて、管理下のネットワーク機器に対し設定情報を送信して設定を行う際に、該送信した設定情報を該当ネットワーク機器に対する設定情報として保持させ、ネットワーク機器の運転再開の際には、ネットワーク機器から取得した設定情報と保持した設定情報とを比較させ、ネットワーク機器側で消滅した設定情報からなる差分情報を作成させて、ネットワーク機器に再設定させる処理を実行することを特徴とする。
【００１４】
請求項６記載の発明は、複数のネットワーク機器と、これらネットワーク機器の設定情報を管理するネットワーク情報管理サーバとを具備するシステムでの設定情報管理プログラムであって、ネットワーク情報管理サーバにおいて、管理下のネットワーク機器に対し設定情報を送信して設定を行う際に、該送信した設定情報と、該設定情報をネットワーク機器に対して送信し設定を行った時刻情報とを当該ネットワーク機器に対する情報として保持させる処理を実行し、ネットワーク機器において、ネットワーク情報管理サーバから送信され、一時記憶手段に蓄積している設定情報を、恒久的記憶手段に記憶した時刻情報を保持させる処理を実行し、ネットワーク機器の運転再開の際には、ネットワーク情報管理サーバにおいて、ネットワーク機器から取得した時刻情報と自身で保持する時刻情報とを比較することでネットワーク機器に設定されている設定情報を認識させ、ネットワーク機器側で消滅した設定情報からなる差分情報を作成してネットワーク機器に再設定させる処理を実行することを特徴とする。
【００１５】
【発明の実施の形態】
次に、添付図面を参照しながら本発明のネットワーク管理システム、その設定情報管理方法及びプログラムにる実施の形態を詳細に説明する。図１〜図５を参照すると本発明のネットワーク管理システム、その設定情報管理方法及びプログラムに係る実施の形態が示されている。
【００１６】
図１に示されるように本実施形態は、ネットワーク機器群２０と、管理下のネットワーク機器群２０の設定情報を管理するネットワーク情報管理サーバ１０と、から構成される。
【００１７】
次に、図２を参照しながらネットワーク情報管理サーバ１０の構成を説明する。ネットワーク情報管理サーバ１０は、ディスプレイなどの出力装置Ａ１とキーボードなどの入力装置Ａ２と、プログラム制御により動作するデータ処理装置Ａ３と、情報を記憶する記憶装置Ａ４と、ネットワーク機器への設定を行うネットワーク機器間インターフェースＡ５とを具備する。入力装置Ａ２および出力装置Ａ１への入出力は、外部プログラムから行うことも可能である。
【００１８】
記憶装置Ａ４は、ネットワーク情報管理サーバ１０の管理下にある全てのネットワーク機器２０の設定情報を記憶している。
【００１９】
データ処理装置Ａ３は、ネットワーク情報差分検出手段Ａ３１と、ネットワーク情報設定手段Ａ３２とを備える。ネットワーク情報差分検出手段Ａ３１は、記憶装置Ａ４に記憶されたネットワーク機器２０の設定情報と、ネットワーク機器間インターフェースＡ５を介してネットワーク機器２０から得た設定情報とを比較し、差分情報を作成する。ネットワーク情報設定手段Ａ３２は、入力装置Ａ２もしくはネットワーク情報差分検出手段Ａ３１により作成された設定情報をネットワーク機器間インターフェースＡ５を介してネットワーク機器２０へ設定する。
【００２０】
本実施形態は、ネットワーク情報管理サーバ１０が保持するネットワーク機器２０の設定情報と、実際にネットワーク機器２０に設定された設定情報とに不一致が生じた場合に、この不一致を解消する構成を提供するものである。ネットワーク機器２０に設定される設定情報はデータ量の非常に多いデータであるので、ネットワーク機器２０は、送信された設定情報を図示しない一時記憶部にまず保存する。そして、一時記憶部に記録した設定情報を、処理負荷の軽い時間帯に図示しない恒久的記憶部に記録している。恒久的記憶部に保存が完了していない時に故障等により突然電源断となってしまった場合、一時記憶部だけに記憶された設定情報が消えてしまうという問題が発生する。
【００２１】
このような問題に対処するため、本実施形態は、ネットワーク情報設定手段Ａ３２によってネットワーク機器２０に設定情報を設定する毎に、設定した設定情報を自身の記憶装置Ａ４にも記憶している。従って、記憶装置Ａ４には、ネットワーク情報管理サーバ１０の管理下にある全てのネットワーク機器２０に関する設定情報が記憶されている。
【００２２】
ネットワーク機器２０に設定された設定情報とネットワーク情報管理サーバ１０とで管理する設定情報とに不一致が生じた場合に、ネットワーク情報差分検出手段Ａ３１により、ネットワーク機器２０から取得した設定情報と、記憶装置Ａ４中の当該ネットワーク機器２０に関する設定情報とを比較し、差分情報を作成する。作成された差分情報を再度ネットワーク機器２０に設定することで、不一致を解消することが可能となる。
【００２３】
次に、図３に示されたフローチャートを参照しながら本実施形態の動作手順を説明する。
ネットワーク情報管理サーバ１０は、図１に示すように管理対象となる複数のネットワーク機器２０に接続されており、ネットワーク機器２０への各種の設定は、すべてネットワーク情報管理サーバ１０を介して行われる。
【００２４】
ネットワーク情報管理サーバ１０は図２に示すような構成となっており、ネットワーク機器２０への設定情報の入力は、入力装置Ａ２から行われる。この設定情報は、ネットワーク情報設定手段Ａ３２により、ネットワーク機器間インターフェースＡ５を介してネットワーク機器２０へ設定される。このとき、ネットワーク情報設定手段Ａ３２は、管理対象ネットワーク機器２０ごとの設定情報を記憶装置Ａ４に記録していく。
【００２５】
ここで、図１に示されたネットワーク機器２０（Ｂ）が故障から再開したとする。ネットワーク機器２０（Ｂ）が故障から運転を再開すると、ネットワーク機器２０（Ｂ）中の一時記憶部だけに保存されていた設定情報は故障により失われ、ネットワーク情報管理サーバ１０の記憶装置Ａ４に持つネットワーク機器２０（Ｂ）に関する設定情報Ａ４２との間に不一致が発生する。
【００２６】
ここで、入力装置Ａ２からの要求によりネットワーク情報差分検出手段Ａ３１は、ネットワーク機器間インターフェースＡ５を通じてネットワーク機器２０（Ｂ）の設定情報を取得する（ステップＳ１）。そして、記憶装置Ａ４中のネットワーク機器（Ａ２）に関する設定情報Ａ４２との比較を行い、差分情報を作成する（ステップＳ２）。なお、差分がない場合には（ステップＳ３／ＮＯ）、処理を終了する（ステップＳ６）。
【００２７】
差分があると判断された場合には（ステップＳ３）、作成した差分情報を出力装置１から出力する（ステップＳ４）。ここで差分情報のネットワーク機器２０（Ｂ）への再設定を行うか否かを入力装置Ａ２より入力させる（ステップＳ５）。差分情報の再設定を行う場合（ステップＳ５／ＹＥＳ）、この差分情報は、ネットワーク情報設定手段Ａ３２によりネットワーク機器間インターフェースＡ５を介してネットワーク機器２０（Ｂ）へ再設定される（ステップＳ７）。これにより、ネットワーク情報管理サーバ１０とネットワーク機器２０（Ｂ）間の情報の不一致の解消を可能とする。
【００２８】
このように本実施形態は、ネットワーク機器２０への全ての設定を記憶装置Ａ４に記憶し、ネットワーク機器２０で失われた設定の検出及び再設定を自動で行う。従って、ネットワーク機器２０の提供するサービスの中断時間を最小化することができる。ネットワーク機器の設定が失われた状態は、サービスの中断を意味する。この状態から失われた設定を再設定しサービスを復旧させる時間を短縮させることができる。
【００２９】
次に、添付図面を参照しながら本発明に係る第２の実施形態について説明する。
本実施形態のネットワーク情報管理サーバ１０は、図４に示されるように記憶装置Ｂ４に記録するネットワーク機器２０に関する設定情報として、上述した設定情報以外に、ネットワーク機器へ設定が行われた時刻を記録している。また、各ネットワーク機器２０は、ネットワーク情報管理装置１０から設定情報が送信されると、送信された設定情報を一時記憶部に一時的に記録する。ネットワーク機器２０に設定される設定情報はデータ量の非常に多いデータであるので、受信した設定情報を直ちに恒久的記憶部に記録させることができない。ネットワーク機器２０は、一時記憶部に記録した設定情報を、処理負荷の軽い時間帯に恒久的記憶部に記録する。この時、ネットワーク機器２０は、恒久的記憶部に設定情報を記憶した時刻も記録する。なお、一時記憶部に記録した設定を恒久的記憶部に記録するまでの間隔は、ネットワーク情報管理サーバ１０が次の設定情報をネットワーク機器２０に設定する間隔に比べて短いものとする。
【００３０】
ネットワーク情報管理サーバ１０は、ネットワーク機器２０が運転を再開すると、当該ネットワーク機器２０より恒久的記憶部に設定情報を記録した時刻情報を取得する。その後、記憶装置Ｂ４に記憶したネットワーク機器に関する設定情報中の時刻情報との比較を行い、どこまでの設定情報がネットワーク機器２０の恒久的記憶部に記録されているかを確認する。そして、故障等によるネットワーク機器２０の運転停止によって消滅した設定情報を、差分情報として当該ネットワーク機器２０に送信する。
【００３１】
このようにして本実施形態は、ネットワーク情報管理サーバＢ１０が、ネットワーク機器２０の恒久的記憶部に設定情報を記録した時刻情報を取得して、自身の記憶装置Ｂ４に記憶した時刻情報と比較することで、どこまでの設定情報がネットワーク機器２０に記録されているのかを認識することができる。また、時刻情報を比較することでネットワーク機器２０が保持している設定情報を把握することができるので、ネットワーク情報管理サーバ１０は、ネットワーク機器２０にどこまでの設定情報が残っているのかを迅速に認識することが可能となり、ネットワーク機器２０が運転を再開してから正常に動作するまでの時間を更に短縮させることができる。
【００３２】
次に、図５に示されたフローチャートを参照しながら本実施形態の動作手順を説明する。
ネットワーク情報管理サーバ１０は、図１に示すように管理対象となる複数のネットワーク機器１０に接続されており、ネットワーク機器１０への各種設定は、すべてネットワーク情報管理サーバ１０を介して行われる。
【００３３】
ネットワーク情報管理サーバ１０は、図４のような構成を取っており、ネットワーク機器２０への設定情報の入力は、入力装置Ｂ２から行われる。入力装置Ｂ２から設定された設定情報は、ネットワーク情報設定手段Ｂ３２により、ネットワーク機器間インターフェースＢ５を介してネットワーク機器２０へ設定される。この時、ネットワーク情報設定手段Ｂ３２は、管理するネットワーク機器毎に、設定情報と、この設定情報が設定された時刻情報とを記憶装置Ｂ４に記録している。また、ネットワーク機器２０は、ネットワーク情報管理サーバ１０から設定された設定情報を一時記憶部に一時的に記録し、処理負荷の軽い時間帯に恒久的記憶部に記録する。この時、ネットワーク機器２０は、恒久的記憶部に設定情報を記憶した時刻も記録する。
【００３４】
ここで、ネットワーク機器２０が故障等により運転を停止し、一時記憶部だけに記録し、恒久的記憶部に保存していなかった設定情報が消滅したとする。この状態からネットワーク機器２０が運転を再開すると、入力装置Ｂ２から入力された要求により、ネットワーク情報管理サーバ１０は、ネットワーク情報差分検出手段Ｂ３１により当該ネットワーク機器２０から設定情報を保存した時刻情報を取得する。通常、ネットワーク機器２０は、情報を一時的に記録する一時記憶部に加え、電源が切れても情報を保持することができる恒久的記憶部を有している。従って、最後に恒久的記憶部に設定が保存された時刻を調べることで、何時以降の設定情報が失われたかを知ることができる。
【００３５】
ネットワーク情報管理サーバ１０は、取得した時刻情報を、記憶装置Ｂ４に記憶した時刻情報と比較することで、ネットワーク機器２０にどこまでの設定情報が記録されているのかを認識する。そして、故障等により消滅した設定情報の差分情報を作成する。差分がない場合には処理を終了する。作成された差分情報は出力装置に出力される。ここで、差分情報のネットワーク機器への再設定を行うか否かを入力装置Ｂ２より入力させる。差分情報の再設定を行う場合には、この差分情報はネットワーク情報設定手段Ｂ３２よりネットワーク機器間インターフェースＢ５を介してネットワーク機器２０に再設定される。これにより、ネットワーク情報管理サーバ１０とネットワーク機器２０との設定情報の不一致を解消することができる。
【００３６】
なお、上述した実施形態は本発明の好適な実施の形態である。但し、これに限定されるものではなく、本発明の要旨を逸脱しない範囲内において種々変形実施が可能である。
【００３７】
【発明の効果】
以上の説明より明らかなように本発明は、ネットワーク情報管理サーバにおいて、管理下のネットワーク機器に対し設定情報を送信して設定を行う際に、該送信した設定情報を該当ネットワーク機器に対する設定情報として保持し、ネットワーク機器の運転再開の際には、ネットワーク機器から取得した設定情報と保持した設定情報とを比較して、ネットワーク機器側で消滅した設定情報からなる差分情報を作成し、ネットワーク機器に再設定することにより、ネットワーク機器のサービス断時間を短縮させることができる。
【００３８】
また、ネットワーク機器の運転再開の際に、ネットワーク情報管理サーバにおいて、ネットワーク機器から取得した時刻情報と自身で保持する時刻情報とを比較することでネットワーク機器に設定されている設定情報を認識し、ネットワーク機器側で消滅した設定情報からなる差分情報を作成してネットワーク機器に再設定することにより、ネットワーク機器とネットワーク情報管理サーバとで保持する設定情報の不一致検出にかかる負荷を軽減させ、ネットワーク機器のサービス断時間をさらに短縮させることができる。
【図面の簡単な説明】
【図１】本発明に係る実施形態の構成を示すブロック図である。
【図２】ネットワーク情報管理サーバの構成を示すブロック図である。
【図３】動作手順を示すフローチャートである。
【図４】本発明に係る第２の実施形態のネットワーク情報管理サーバの構成を示すブロック図である。
【図５】第２の実施形態の動作手順を示すフローチャートである。
【符号の説明】
Ａ１、Ｂ１　出力装置
Ａ２、Ｂ２　入力装置
Ａ３、Ｂ３　データ処理装置
Ａ４、Ｂ４　記憶装置
Ａ５、Ｂ５　ネットワーク機器間インターフェース
１０　ネットワーク情報管理サーバ
２０　ネットワーク機器
Ａ３１、Ｂ３１　ネットワーク情報差分検出手段
Ａ３２、Ｂ３２　ネットワーク情報設定手段
【図１】
2004048171.tif 000003
【図２】
2004048171.tif 000004
【図３】
2004048171.tif 000005
【図４】
2004048171.tif 000006
【図５】
2004048171.tif 000007